(57)【特許請求の範囲】
【請求項１】
球受皿のパチンコ球を球抜きする球抜孔と、前記球抜孔を開閉する球抜部材と、前記球抜部材を常に前記球抜孔を閉じる方向に付勢する付勢部材とを備えたパチンコ機における球受皿の球抜装置において、
前記球抜部材を前記球抜孔を閉じる第１位置と該球抜孔を開放する第２位置とに摺動自在に設けると共に、前記球抜部材に係合ピンを該球抜部材の摺動方向と直交する方向に移動自在に設け、前記球抜孔を設けた球受皿本体の下部に前記球抜部材を介して支持枠を設け、前記支持枠に環状溝を設け、前記環状溝は前記球抜部材の第１位置で前記係合ピンが係合する第１係止部と屈曲部と前記球抜部材の第２位置で前記係合ピンが係合する第２係止部とを有すると共に前記第１係止部から前記屈曲部までを往溝と復溝を共有する往復溝としかつ前記第２係止部から前記屈曲部までを復溝として成形され、前記屈曲部には前記往復溝の溝底より前記復溝の溝底が浅くなる段部が形成され、前記球抜部材を前記付勢部材に抗して摺動させることにより前記第１位置と第２位置とに交互に係止するようにしたことを特徴とするパチンコ機における球受皿の球抜装置。
【発明の詳細な説明】
【０００１】
【発明の属する技術分野】
本発明は、パチンコ機の前面に取着される球受皿の球抜装置に関し、特に球抜孔を開放状態に保持し得るようにしたパチンコ機における球受皿の球抜装置に関するものである。
【０００２】
【従来の技術】
従来、球受皿の球抜孔を開放状態に保持し得るようにしたパチンコ機における球受皿の球抜装置として、例えば特開平８−１９６７１３号公報のものが知られている。
【０００３】
この従来の球受皿の球抜装置は、開閉板を閉位置と開位置との間で左右方向に移動自在に設け、開閉板の一側方に閉位置と開位置とに対応する各ロック部と、該ロック部を閉ループ状に接続する循環溝とを有するロック板を突出形成し、該ロック板の循環溝を介して各ロック部に係脱自在に係合するロックピンを支持カバー側に前後方向移動自在に設け、球抜きレバーを操作するごとに閉位置と開位置とに交互にロックするようにしていた。
【０００４】
【発明が解決しようとする課題】
上記した従来のパチンコ機における球受皿の球抜装置は、ロック部と循環溝とを有するロック板を開閉板に突出形成しているため、開閉板は大きくなりその分スペースも大きくとる。また支持カバーも開閉板と開孔を開くストローク分大きくしなければならず製作コストも高くなる。
また、開閉板に設けた循環溝と支持カバーのロックピンの両方が動くため動きが不安定となり、ロックピンとロック部がロックされず開孔を開放状態に保持できない場合があり安定性と確実性に欠ける問題が有る。
【０００５】
本発明は、上記した問題点に鑑みてなされたもので、その目的とするところは、球抜装置をコンパクトにすると共に、確実に球抜孔を閉止状態にしたり開放状態にしたり交互に係止することができるようにしたパチンコ機における球受皿の球抜装置を提供することにある。
【０００６】
【課題を解決するための手段】
上記目的を達成するために、本発明のパチンコ機における球受皿の球抜装置は、球受皿のパチンコ球を球抜きする球抜孔と、該球抜孔を開閉する球抜部材と、該球抜部材を常に球抜孔を閉じる方向に付勢する付勢部材とを備えたパチンコ機における球受皿の球抜装置において、球抜部材を球抜孔を閉じる第１位置と球抜孔を開放する第２位置とに摺動自在に設けると共に、球抜部材に係合ピンを球抜部材の摺動方向と直交する方向に移動自在に設け、球抜孔を設けた球受皿本体の下部に球抜部材を介して支持枠を設けると共に、該支持枠に環状溝を設け、該環状溝は前記球抜部材の第１位置で係合ピンが係合する第１係止部と屈曲部と球抜部材の第２位置で係合ピンが係合する第２係止部とを有すると共に第１係止部から屈曲部までを往溝と復溝を共有する往復溝としかつ第２係止部から屈曲部までを復溝として成形され、屈曲部には前記往復溝の溝底より前記復溝の溝底が浅くなる段部が形成され、前記球抜部材を付勢部材に抗して摺動させることにより第１位置と第２位置とに交互に係止するようにした。
【０００７】
上記のように構成されたパチンコ機における球受皿の球抜装置は、球抜部材を開方向に摺動すると付勢部材の付勢に抗して球抜孔を開放する。そして、球抜部材が球抜孔を開放する第２位置まで移動すると係合ピンは環状溝にガイドされながら係止部に係止する。また、この状態で球抜部材を再度開方向に摺動すると、係合ピンは環状溝により係止部での係止が解除され付勢部材の付勢により第１位置に戻り球抜孔を閉止する。
【０００８】
なお、本発明のパチンコ機における球受皿の球抜装置は、パチンコ機の前面枠の前面に設けられる打球供給皿または打球供給皿の余剰球を貯留する余剰球受皿のいずれにも適用可能である。
【０００９】
【発明の実施の形態】
以下、図面を参照して本発明の実施の形態について説明する。図１はパチンコ機の正面図、図２は余剰球受皿の斜視図、図３は余剰球受皿の分解斜視図、図４は余剰球受皿の要部分斜視図である。図において、１はパチンコ機の機枠、２は機枠１の前面に開閉自在に装着された前面枠である。前面枠２は、ほぼ中央に窓孔が形成されており、該窓孔の上部にガラス扉３が、その下部に前面板４がそれぞれ開閉自在に設けられている。前記ガラス扉３の後方であり、前面枠２の窓孔の裏面部分には遊技盤５が着脱自在に取付けられている。この遊技盤５の前面には円状の誘導レール６が設けられており、その誘導レール６で囲まれる領域が遊技領域として構成されている。また、前記前面板４の前面には誘導レール６の発射位置にパチンコ球を供給する打球供給皿７が設けられており、前面枠２の前面下部には打球供給皿７からの余剰球を貯留する余剰球受皿８が装飾板９を介して設けられている。１０は装飾板９に開設され前記余剰球を余剰球受皿８に払い出す排出口であり、１１は遊技領域へ発射されるパチンコ球の弾発力を調節する操作ハンドルである。
【００１０】
次に図２ないし図４を参照して余剰球受皿の構成について説明する。余剰球受皿８は、パチンコ球を貯留する球受皿本体１２と、該球受皿本体１２の前面を覆うカバー部材１３とから構成される。前記球受皿本体１２は略中央にパチンコ球を貯留する皿部１２ａが凹窪状に形成されると共に、該皿部１２ａの上端外周縁に庇状の上面壁１２ｂが延設され、後面は前記装飾板９の排出口１０が臨むように開放しており、底壁には球抜孔１４が開設される。また、皿部１２ａの下面に球抜孔１４を寒ぐように皿状の支持枠１５がビス１６により固着されており、該支持枠１５には球抜孔１４と相対する位置にほほ同じ大きさの透孔１７が設けられている。
【００１１】
そして、図８に示すように支持枠１５と球受皿本体１２の底部との間に挟まれるように球抜孔１４を開放すべく左右方向に移動自在な球抜部材１８と該球抜部材１８を球抜孔１４を閉じる方向に付勢する付勢部材としてのスプリング１９が配設されている。
【００１２】
球抜部材１８は球抜孔１４を開閉する幅広の板状部２０と、球抜部材１８をスプリング１９の付勢に抗して球抜孔１４を開く方向に操作する操作部２１が一体に形成され、該操作部２１は支持枠１５の切欠１５ａから前方に突出している。
【００１３】
またスプリング１９は、支持枠１５に形成された収容凹部２２内に収容され、該収容凹部２２の側壁２２ａと球抜部材１８の下面に設けた押圧部２３との間に圧縮状態で介在されている。そこで、スプリング１９の付勢に抗して操作部２１を水平にスライドさせることにより球抜孔１４が開放し、球抜動作が行なえるようになっている。
【００１４】
しかして、球抜部材１８下面には該球抜部材１８の摺動方向と直交するように移動する係合ピン２４を設けると共に、支持枠１５には板状部２０が球抜孔１４を閉じる第１位置と球抜孔１４を開放する第２位置とに対応するように前記係合ピン２４が係止する第１係止部２５と第２係止部２６を有する環状溝２７を周設し、該環状溝２７を係合ピン２４が自在に移動するようになっている。
【００１５】
前記係合ピン２４は図５および図９に示すように摺動板２８に固設され、該摺動板２８を球抜部材１８下面に球抜部材１８の摺動方向と直交する方向に形成されたガイド溝２９内を移動自在に設けられている。
【００１６】
前記環状溝２７は、図１０に示すように第１係止部２５および第２係止部２６から外れた係合ピン２４を常に図１０矢印に示す一方向に進むように誘導する誘導突部３０，３１が設けられている。該誘導突部３０，３１は第１係止部２５，第２係止部２６に係止した係合ピン２４の中心よりずれていることで確実に一方向に係合ピン２４が進むようになっている。なお、球抜部材１８を直接支持枠１５の切欠１５ａに当接することで第１位置に保持するようにすれば第１係止部２５を省略してもよい。
【００１７】
次に上記した球受皿の球抜装置の作用について図５ないし図７を参照して説明する。通常球抜部材１８は図５および図６に示すように、スプリング１９の付勢により球抜孔１４を板状部２０で閉塞する第１位置にある。この時係合ピン２４は環状溝２７の第１係止部２５に係止している。
【００１８】
そしてこの状態で、スプリング１９の付勢に抗して操作部２１を図６矢印方向にスライドすると、球抜部材１８は図７に示すように板状部２０が球抜孔１４を開放する第２位置に移動する。これに伴い、前記係合ピン２４が第１係止部２５から外れ、誘導突部３０により往溝２７ａに誘導され移動する。この時係合ピン２４を固設する摺動板２８がガイド溝２９内を摺動して、係合ピン２４が環状溝２７に沿って移動する。そして、係合ピン２４が図６鎖線で示すように環状溝２７の端部に当接するまで移動し、球抜操作を解除すると、スプリング１９の付勢により図７実線で示す第２係止部２６に係止する。
【００１９】
次に球抜孔１４を閉止するには、図７鎖線で示すようにスプリング１９の付勢に抗して操作部２１を球抜孔１４を開放する方向にスライドすると、係合ピン２４が第２係止部２６から外れて誘導突部３１により復溝２７ｂに誘導される。そして係合ピン２４が図７鎖線で示すように環状溝２７の端部に当接するまで移動し、球抜操作を解除すると、係合ピン２４は復溝２７ｂを移動し、図６実線で示す第１係止部２５に係止し、同時に球抜部材１８も板状部２０が球抜孔１４を閉止する第１位置に移動する。以後、操作部２１を球抜孔１４を開放する方向に操作する毎に球抜部材１８を第１位置と第２位置とに交互に確実にロックすることができる。
【００２０】
図１１および図１２は他の実施の形態の環状溝を示すもので、図１２に示すように環状溝３２は第１係止部２５から屈曲部３３を介して第２係止部２６まで溝底が漸次深くなっており、第１係止部２５から屈曲部３３までを往復溝３２ａとしている。また、第２係止部２６から屈曲部３３までの復溝３２ｂは溝底が漸次浅くなっており屈曲部３３で段部３４を形成している。一方係合ピン２４は溝内を確実に移動するように、図１２に示すようにガイド溝２９に収容した摺動板２８が溝の深浅差分上下動する隙間Ｓを有している。
【００２１】
このように形成された環状溝３２を有する球抜装置は、球抜部材１８が第１位置から第２位置へ移動する際、係合ピン２４は図１１実線で示す第１係止部２５の係止から外れて往復溝３２ａを移動し、屈曲部３３の段部３４により図１１矢印イ方向に移動し第２係止部２６に案内されスプリング１９の付勢により係止される。
次に球抜部材１８を第２位置から第１位置へ移動する際操作部２１を球抜孔１４を開放する方向にスライドすると、係合ピン２４は第２係止部２６の係止から外れて図１１に示す矢印ロ方向に復溝３２ｂを移動し、段部３４を介して往復溝３２ａを移動し第１係止部２５に係止するようになっている。
【００２２】
このように形成された環状溝３２は、往溝と復溝を共有することで全体の幅を狭くすることができる。またそれに伴なって係合ピン２４の動きも小さくできるのでよりコンパクトになり、しかも確実な動きが実現できる。
【００２３】
図１３および図１４に示すものは、環状溝２７を球受皿本体１２の底部に設けた実施の形態を示すもので、球抜部材１８は球受皿本体１２に一体に設けられたガイド片３５によって支持されている。このため、支持枠１５が不要となる。
【００２４】
【発明の効果】
以上、説明したところから明らかなように、本発明においては、係止部を有する環状溝を固定的に設け、該環状溝を移動する係合ピンを摺動する球抜部材に設けて、係合ピンだけが移動するようにしたので、球抜部材や支持枠をコンパクトにすることができると共に、確実に球抜部材を球抜孔を閉止する第１位置と球抜孔を開放する第２位置とに交互に係止することができる。
【００２５】
また、環状溝を球受皿本体側に設けることで支持枠が不要となり部品点数が少なくなる。
【図面の簡単な説明】
【図１】  本発明が適用されるパチンコ機の正面図。
【図２】  本発明に係る球抜装置が組み込まれた余剰球受皿の斜視図。
【図３】  図２の余剰球受皿の分解斜視図。
【図４】  図２の余剰球受皿の要部分解斜視図。
【図５】  図２の余剰球受皿の要部正面断面図。
【図６】  球抜孔を閉止した状態の平面断面図。
【図７】  球抜孔を開放した状態の平面断面図。
【図８】  図２余剰球受皿の側断面図。
【図９】  図２の要部側断面図。
【図１０】  係合ピンが環状溝を巡回する動作を示す説明図。
【図１１】  他の実施の形態の環状溝の平面図。
【図１２】  図１１の余剰球受皿の正面断面図。
【図１３】  他の実施の形態の余剰球受皿の要部分解斜視図。
【図１４】  図１３の余剰球受皿の正面断面図。
【符号の説明】
１２            球受皿本体
１４            球抜孔
１５            支持枠
１８            球抜部材
１９            スプリング（付勢部材）
２４            係合ピン
２５            第１係止部
２６            第２係止部
２７            環状溝
３２            環状溝
３２ａ          往復溝
３２ｂ          復溝
３３            屈曲部
３４            段部
【図１】
0003636578.tif 000002
【図２】
0003636578.tif 000003
【図３】
0003636578.tif 000004
【図４】
0003636578.tif 000005
【図５】
0003636578.tif 000006
【図６】
0003636578.tif 000007
【図７】
0003636578.tif 000008
【図８】
0003636578.tif 000009
【図９】
0003636578.tif 000010
【図１０】
0003636578.tif 000011
【図１１】
0003636578.tif 000012
【図１２】
0003636578.tif 000013
【図１３】
0003636578.tif 000014
【図１４】
0003636578.tif 000015